(57)【要約】【課題】収容する商品と物品とをきちんと区分して収納し、なおかつ商品に対する輸送時の振動や外部からの衝撃から保護し、また組み立てた商品保護材の反発力により収容箱を傷めることのない、商品保護材を提供する。【解決手段】商品と少なくとも１つの商品以外の物品を収容箱に収納する際に、前記商品および物品と一緒に前記収容箱に収納される商品保護材であって、商品保護材は、少なくとも商品の６方向（上・下・左・右・前・後）を保護可能な６つの平面を有するように１枚のシートを折り曲げて組み立てられると共に、該平面の外側に突出する緩衝片を少なくとも１箇所有しており、また前記収容箱を２つ以上の領域に区画し、さらに折り曲げて組み立てた際の反発力を制するためのロック機構を有することを特徴とする、商品保護材。【選択図】図１
2009078854.tif 000002
【特許請求の範囲】
【請求項１】
商品と少なくとも１つの商品以外の物品を収容箱に収納する際に、前記商品および物品と一緒に前記収容箱に収納される商品保護材であって、商品保護材は、少なくとも商品の６方向（上・下・左・右・前・後）を保護可能な６つの平面を有するように１枚のシートを折り曲げて組み立てられると共に、該平面の外側に突出する緩衝片を少なくとも１箇所有しており、また前記収容箱を２つ以上の領域に区画し、さらに折り曲げて組み立てた際の反発力を制するためのロック機構を有することを特徴とする、商品保護材。
【請求項２】
商品保護材の緩衝片が、商品保護材の折り曲げ部に設けてなる、請求項１のいずれかに記載の商品保護材。
【請求項３】
収容箱が商品保護材によって区画される領域が２つである、請求項１または請求項２のいずれかに記載の商品保護材。
【請求項４】
収納される商品が、粉体固形化粧料である、請求項１〜３のいずれかに記載の商品保護材。
【発明の詳細な説明】
【技術分野】
【０００１】
本発明は、コンパクト容器やレフィル容器，化粧皿などの粉体固形化粧品（ファンデーションやアイシャドウなど）や、衝撃に弱い構造を有する割れ物や日用品、雑貨品などと、それに付随する物品（化粧筆や説明書、別添部品等）とを同一の収容箱に収容する際に、それらの商品や物品と一緒に収容される商品保護材に関する。
【背景技術】
【０００２】
従来、粉体を固めて用いる、ファンデーションやアイシャドウ等の粉体固形化粧品等は、輸送時の振動や外部からの衝撃に対して非常に弱く、商品を収容する箱には、緩衝効果を有する材料と同梱されることが行われる（例えば特許文献１，２参照）。
【０００３】
また、それらの商品と同梱されるものとして、化粧筆やパフ、使用説明書、その他当該商品の有する機能を利用せしめるための別添部品などがあり、これらの収容方法として、商品を収容箱に入れた隙間に物品を入れたりする場合や、商品と物品とをきちんと区分けして収容する必要がある場合には、収容箱を区画するような別部材を入れたり（例えば特許文献３参照）、収容箱の一部を利用して収容エリアを区画することが行われてきた。
【特許文献１】特公平７−５１４５号公報  （第２図）
【特許文献２】特開２００７−２０７７３号公報  （第１０図）
【特許文献３】特開２００４−１２３１６５号公報  （第２図）
【特許文献４】実開平２−１１７３２８号公報  （第１図）
【特許文献５】特許第３６５３１４５号公報  （第１図）
【特許文献６】特開２００４−１８９２７３号公報  （第１図）
【発明の開示】
【発明が解決しようとする課題】
【０００４】
しかしながら特許文献１にあるような緩衝用シートでは、特定の方向にのみ緩衝効果を奏するに過ぎず、保護されていない方向からの衝撃には緩衝効果を有さない。また特許文献１にある緩衝シートを利用して商品以外にも物品（化粧筆や説明書）を同梱させる場合には、収容箱の高さ方向を大きくし、緩衝シートと収容箱の間に出来た隙間に物品を収容することになる。しかし緩衝シートの厚みが大きくなる（緩衝効果向上）と、緩衝シートの折り曲げ方向とは反対向きに反発力が増し、その反発力により物品を収容箱に押し付けることになり、結果として収容箱に物品の跡が傷の形で出てしまう場合があり好ましくない。
【０００５】
また特許文献２では、商品を収納し得ても、物品を収納するという構造ではないため、物品を収納しにくくなっていたり、収納したとしても、物品が箱の中で自由に動きまわってしまい商品と物品との擦れ傷が発生したり、物品が存在することにより本来の緩衝効果が得られない場合もあった。
【０００６】
さらに特許文献３では、収容箱を２つに区分できるが、商品を衝撃から守るという点か
らは不十分であった。
【０００７】
そこで本発明は、商品の保護材であって、収容する商品と物品とをきちんと区分して収納し、なおかつ商品に対する輸送時の振動や外部からの衝撃から保護し、また組み立てた商品保護材の反発力により収容箱を傷めることのない、商品保護材を提供することを課題とする。
【課題を解決するための手段】
【０００８】
上記の目的を達成するため、本発明者が鋭意研究した結果、商品と少なくとも１つの商品以外の物品を収容箱に収納する際に、前記商品および物品と一緒に前記収容箱に収納される商品保護材であって、商品保護材は、少なくとも商品の６方向（上・下・左・右・前・後）を保護可能な６つの平面を有するように１枚のシートを折り曲げて組み立てられていると共に、該平面の外側に突出する緩衝片を少なくとも１箇所有しており、また前記収容箱を２つ以上の領域に区画し、さらに折り曲げて組み立てた際の反発力を制するためのロック機構を有するという構成をとる。
また当該商品保護材の緩衝片が、商品保護材の折り曲げ部に設けており、組立が容易である。
当該商品保護材によって区画される領域が２つであるのが使用上や組み立て上便利である。また当該商品保護材によって保護される商品が、粉体固形化粧料等の衝撃に弱いものであると、本発明の恩恵を受けやすい。
【発明の効果】
【０００９】
本発明によれば、収容する商品と物品とをきちんと区分して収納するため、輸送時の振動や取り扱い時に商品と物品とが擦れて傷をつけてしまうことなどない。さらに外部からの衝撃に対しても商品保護材及び商品保護材に設けた緩衝片により緩衝作用を有するため商品を保護できる。また商品保護材を組み立てた場合に、組立形状を維持するロック機構を有するため、その反発力により物品を収容箱に押し付けて傷めてしまうということもない。
【発明を実施するための最良の形態】
【００１０】
つぎに、本発明の実施の形態を図面にもとづいて詳しく説明する。尚、以下に述べる実施例は係る特定の実施形態に限定されるものではなく、特許請求の範囲に記載された本発明の要旨の範囲内において、種々の変形・変更が可能である。
【００１１】
図１は本発明の第１の実施形態を示す斜視図である。本実施の形態では収容箱１に商品２としてコンパクトケース、および物品３として化粧筆を収納する例を示しており、商品２と物品３と一緒に本願発明の商品保護材４とを収容箱１に収納している。商品保護材４には緩衝片４ｓが設けられている。
【００１２】
図２は本願発明の商品保護材４の展開図を示している。商品保護材４は、１枚のシートから製作され、商品の前面を保護する前面部４ａ、底面を保護する底面部４ｂ、背面を保護する背面部４ｃ、上面を保護する上面部４ｄ、右側面を保護する右側面部４ｅ、左側面を保護する左側面部４ｆを有する。この時前面部４ａ及び背面部４ｃの高さは商品２が入る高さとするが、右側面部４ｅ、左側面部４ｆ（今後、左右の区別を特に必要としない場合には単に「側面部４ｅ，４ｆ」とする）の高さは、上面部４ｄを越える高さであって、収容箱に収まる高さである。またこの例では、前面部４ａに１箇所、背面部４ｃに２箇所、上面部４ｄの辺の内、背面部４ｃとの境界に形成される辺とは反対側の辺にも１箇所、緩衝片４ｓが設けられている。
【００１３】
図２の商品保護材４を、点線で示した箇所で折り曲げることで、商品保護材４を組み立てるが、通常折り曲げても素材のもつ弾性力により再度開こうとする力が働く。この弾性力を抑えるために、側面部４ｅ，４ｆ、上面部４ｄの形状により組み立てた商品保護材４が再度開くことを防止するロック機構を形成する。具体的には側面部４ｅ，４ｆの形状において、底面部４ｂから上面部４ｄを越える高さまで幅を狭くし、側面部４ｅ，４ｆの先端にそれぞれ２箇所の凸部４ｘを儲け、略Ｔ字状となる様に形成する。また上面部４ｄの形状では、側面部側の辺において、側面部４ｅ，４ｆの幅を狭くした部分が入る長さの凹部４Ｙを形成する。そうして組み立てると図３に示されるように、上面部４ｄの凹部４ｙに側面部４ｅ，４ｆが入り、凸部４ｘが上面部を抑えることになる。こうして商品保護材４は弾性力を抑え、組み立てた形状を維持することができるとともに、収容箱を２つの区分にきちんと分けることもできる。尚、４つの緩衝片４ｓについては、商品保護材を組み立てた際にも折り曲げないことで、正面部４ａ背面部４ｃから突出することになる。
【００１４】
商品保護材４は、ロック機構により組み立てた形状を維持するため、上面部４ｄの上に載置する物品３を上に押し上げて収容箱に押し付けようとする力が働かないため、収容箱を傷めることはない。また商品を６方向（上・下・左・右・前・後）を保護することが可能である。
【００１５】
商品保護材４の材質は、適度な強度や弾性を有し、形状を維持できるものであれば、特に制限するものではなく、合成樹脂や紙類等、化粧品や文具等の日用品の包装に用いられるものが使用できる。加工のしやすさや重量、費用面から、発泡スチレン（スチレンペーパー）が好ましく例示できる。
【００１６】
図４は、本発明の商品保護材４に商品２と物品３を組み合わせ収容箱１に収納する様子を示している。
【００１７】
図５は、本発明の商品保護材４の第２の実施形態を示す。この例では先の実施例よりも多くの緩衝片４ｓを形成している例を示す。この例による緩衝片４ｓであれば、いかなる方向からの外部衝撃であっても、商品への振動が伝わりにくく、耐衝撃性が向上するため好ましい。
【００１８】
尚、緩衝片４ｓは必ずしも全ての辺に設ける必要もなく、また辺上に１つであっても良いし、複数個設けても良い。緩衝片４ｓを設けることによって、収容箱１を含めた全体サイズが大きくなるため、商品の保護の必要性と、収容箱１を含めた全体の大きさを考慮して決めれば良い。図５の場合には６つの方向（前・後・上・下・左・右）の内、上面部４ｄ側以外全てに設けている。但し上面側は側面部（４ｅ，４ｆ）が緩衝片の代わりにもなり、商品の保護という点では結果として６方向守られている。
【００１９】
図６は図５の展開図である。図５では確認が困難であった背面側にも緩衝片が存在することが判る。
【００２０】
図７は本発明の第３の実施形態であって、収容箱１を３つに区分する例を示している。２階部分の前面側には第２前面部４ｇ、２階部分の上面には第２上面部４ｈ、２階部分の背面側には第２背面部４ｉが設けられている。側面部４ｅ，４ｆは高さ方向に伸び、第２上面部４ｈにも２ケ所の凹部４ｙを設けている。必要により側面部には上面部を支える保持部４ｚを設けることもできる。またこの様な例の場合においても、緩衝片４ｓが任意の箇所に設けられている。
この実施形態においても、１階部分、２階部分とも６方向（上・下・左・右・前・後）を保護する構造になっている。この例においても緩衝片を設けることにより緩衝効果を向上させることが出来る（図示しない）。
【００２１】
図示はしないが、上記実施例では収容箱１を上方向（２階、３階構造）に区分する例を示したが、これは横方向に区分する方法であってもよい。
【００２２】
本発明の商品保護材４を使用する商品に特に制限はなく、化粧品、日用品、文具、等あらゆる分野での利用が可能である。中でも化粧品の、とりわけ衝撃に弱い粉体固形化粧料であると、本発明の効果が顕著である。
【００２３】
次に本発明の実施例および比較例を挙げ、落下試験を実施し、本発明品による商品の緩衝効果について説明する。
【００２４】
＜落下試験＞
既知のコンパクト容器（Ｗ（幅）×Ｄ（奥行き）×Ｈ（高さ）＝５３×５３×１７（ｍｍ），材質は蓋がＡＢＳ，本体がＰＥＴ）にアルミ製の金皿に打型した粉体固形化粧料を収容した商品と、物品として化粧筆と、本発明の商品保護材とを収容箱（紙製）に収納して落下試験を実施した。尚、粉体化粧料の処方は以下に示したものであり、打型圧力は８ｋｇ／ｃｍ２である。また商品保護材については表１で示すように条件を変えて評価した。
（粉体固形化粧料）                                          （質量％）
タルク                                                    ２０．０
シリコーン処理マイカ                                      １９．６７
シリコーン処理合成マイカ                                  １０．０
板状硫酸バリウム                                          １０．０
雲母チタン                                                ２０．０
ＰＭＭＡ                                                  １０．０
ベンガラ                                                    ０．２
黄酸化鉄                                                    ０．４
ジメチコン                                                  ３．５
スクワラン                                                  ３．０
ワセリン                                                    ０．５
メトキシケイ皮酸エチルヘキシル                              ２．０
ラミナリアオクロロイカエキス                                ０．１
グリシン                                                    ０．０１
プロリン                                                    ０．０１
アラニン                                                    ０．０１
セイヨウオトギリソウエキス                                  ０．１
オリーブ葉エキス                                            ０．１
甘草エキス                                                  ０．１
パラベン                                                    ０．２
香料                                                        ０．１
合計                                                    １００．０
【００２５】
落下させる方向としては、底面側を下に向けそのまま落下させる方向（正立方向）と、側面背面側を下に向け落下させる方向（側面方向）との２方向で実施した。落下の高さは５０ｃｍで行い、打型品にヒビ・割れが発生するまでに落下させた回数を記録する。５０回落下させても割れなかった場合、続けて１００ｃｍの高さから落下させ、同様にヒビ・割れが発生するまでに落下させた回数を記録した。それおぞれ同一の条件を３個ずつ行い、各試験の落下回数の平均値により評価した。
落下試験（正立方向）の評価基準
◎：５０ｃｍ落下をクリアし、１００ｃｍの平均落下回数が１０回以上
○：５０ｃｍ落下をクリアし、１００ｃｍの平均落下回数が５回以上１０回未満
△：５０ｃｍ落下をクリアし、１００ｃｍの平均落下回数が１回以上５回未満
×：５０ｃｍ落下がクリアできない
落下試験（側面方向）の評価基準
◎：５０ｃｍ落下の平均落下回数が１０回以上
○：５０ｃｍ落下の平均落下回数が５回以上１０回未満
△：５０ｃｍ落下の平均落下回数が４回以上５回未満
×：５０ｃｍ落下の平均落下回数が４回未満
【００２６】
実施例１〜２、比較例１〜２
【表１】
2009078854.tif 000003
【００２７】
表１から明らかな通り、保護材のない比較例１については、５０ｃｍからの正立落下において割れが発生し、また緩衝片がない保護材を使用した比較例２においては、正立落下については５０ｃｍからの落下をクリアしたものの、側面落下については、４回の落下をクリアすることができなかった。
【００２８】
一方、本発明の実施例１，２は、いずれも５０ｃｍからの正立落下をクリアし、底面に緩衝片を有する実施例２については、１００ｃｍからの平均落下回数においても１０回をクリアした。側面落下については、実施例１，２とも５０ｃｍ落下の平均落下回数５回をクリアし、緩衝片の効果が確認された。
【産業上の利用可能性】
【００２９】
本発明の商品保護材が適用できる商品としては様々なものがあり、実施形態で示した粉体固形化粧料等の化粧品はもとより、日用品、文具、等あらゆる分野での利用が可能である。
【図面の簡単な説明】
【００３０】
【図１】本発明の第１の実施形態を示す斜視図
【図２】第１の実施形態の展開図
【図３】商品保護材の組立斜視図
【図４】本発明の収容状態を示す斜視図
【図５】本発明の第２の実施形態を示す斜視図
【図６】第２の実施形態の展開図
【図７】本発明の第３の実施形態を示す斜視図
【符号の説明】
【００３１】
１      収容箱
２      商品（コンパクト容器）
３      物品（化粧筆）
４      商品保護材
４ａ    前面部
４ｂ    底面部
４ｃ    背面部
４ｄ    上面部
４ｅ    右側面部
４ｆ    左側面部
４ｇ    第２前面部
４ｈ    第２上面部
４ｉ    第２背面部
４ｓ    緩衝片
４ｘ    凸部
４ｙ    凹部
４ｚ    保持部
【図１】
2009078854.tif 000004
【図２】
2009078854.tif 000005
【図３】
2009078854.tif 000006
【図４】
2009078854.tif 000007
【図５】
2009078854.tif 000008
【図６】
2009078854.tif 000009
【図７】
2009078854.tif 000010